(57)【要約】【課題】飲料に茶葉等が混入したり、目詰まりを生ずることをなくする。【解決手段】飲料抽出用容器１は、容器本体２と、容器本体２内にあって着脱自在な茶こし部３と、容器本体２の上部に螺合する蓋体４とから成る。蓋体４の天井部４ｅには注水部４ａが設けられ、この注水部４ａは通液孔４ｇと連通している。開閉レバー４ｉには通液孔４ｇを閉止するための密閉用キャップ４ｎが設けられている。開閉レバー４ｉにより通液孔４ｇの閉止を解除し、注水部４ａを下方に傾けることにより、容器本体２内の茶飲料Ｄを通液孔４ｇ、注水部４ａを介して注ぐことができる。このとき茶こし部３内の茶飲料Ｄは通液孔４ｇのみを介して排出され、茶こし部３の上縁３ａは蓋体４の天井部４ｅにより閉止されているため、注がれる茶飲料Ｄに茶葉Ｔが混入したり、茶葉Ｔにより通液孔４ｇが詰まることが防止される。【選択図】図６
2014094044.tif 000002
【特許請求の範囲】
【請求項１】
容器本体と、該容器本体内の所定位置に位置し上方を開放した茶こし部と、前記容器本体に螺合し前記容器本体と前記茶こし部を上方から覆う蓋体とから成り、前記蓋体の前記容器本体への螺合は前記容器本体に対し所定の回転角度で停止し、該停止状態で前記蓋体の天井部により前記茶こし部の上縁を閉止すると共に、前記蓋体の天井部に設けた通液孔は前記茶こし部から離れた位置で前記容器本体内と連通することを特徴とする飲料抽出用容器。
【請求項２】
前記蓋体の前記容器本体に対する螺合の所定位置での停止は、前記容器本体の螺合用のねじ溝の一部にストッパを設けることにより行うことを特徴とする請求項１に記載の飲料抽出用容器。
【請求項３】
前記茶こし部の上縁に対する前記蓋体の天井部による閉止は、前記天井部に設けたリブを前記茶こし部の上縁に接触することにより行うことを特徴とする請求項１又は２に記載の飲料抽出用容器。
【請求項４】
前記蓋体の上部に傾動可能の開閉レバーを設け、該開閉レバーは付勢手段及び密閉用キャップを備え、前記付勢手段の付勢により前記通液孔を前記密閉用キャップが閉止することを特徴とする請求項１〜３の何れか１つの請求項に記載の飲料抽出用容器。
【請求項５】
前記開閉レバーを前記付勢手段に抗して傾動することにより前記密閉用キャップは前記通液孔の閉止を解除し、前記容器本体内の飲料を、前記通液孔を経て前記蓋体に設けた注水部から注水可能としたことを特徴とする請求項４に記載の飲料抽出用容器。
【請求項６】
前記開閉レバーはロック部材により前記開閉レバーを前記付勢手段に抗して傾動する動作を規制することを特徴とする請求項４又は５に記載の飲料抽出用容器。
【請求項７】
片手により握持及び前記ロック部材の操作を行うことができることを特徴とする請求項６に記載の飲料抽出用容器。
【発明の詳細な説明】
【技術分野】
【０００１】
本発明は、茶葉、コーヒー粉末等の成分を冷水又は熱湯により抽出することにより、飲料を製造し、保存する飲料抽出用容器に関するものである。
【背景技術】
【０００２】
従来から、この種の飲料抽出用容器は種々のものが知られており、例えば特許文献１のような飲料抽出用容器が開示されている。この特許文献１における飲料抽出容器は、容器本体に取り付けた茶こし部に茶葉を入れ、容器本体内で茶葉を冷水又は熱湯に浸して茶葉の成分を抽出している。
【０００３】
そして、上蓋を閉じることにより、茶の成分を抽出した飲料を保存し、必要に応じて注水口を介して、飲料をグラスに注いで飲むことができる。
【０００４】
特許文献２にはパッキンを有する抽出蓋により通液口の開閉を行う飲料抽出用容器が記載されている。この冷水筒は、茶こし部を備えていないため、茶葉が入ったパックを中に入れて、茶葉の成分を抽出して利用する。また、片手で容器を握持した状態でロックの解除を行う際は必ず他方の手で解除を行う必要がある。
【先行技術文献】
【特許文献】
【０００５】
【特許文献１】特開２０１２−１１１５１０号公報
【特許文献２】特開２００９−１３２４２１号公報
【発明の概要】
【発明が解決しようとする課題】
【０００６】
しかし、特許文献１のような飲料抽出用容器において、容器本体内の茶等の飲料をグラス等に注ぐ場合には、先ず上蓋を回動させることにより、容器本体との螺合を緩め、上蓋と容器本体の間に隙間を設ける。次いで、飲料抽出用容器を傾けることにより、容器本体内の飲料を上蓋と容器本体との隙間を経て注水口からグラスに注ぐことができる。
【０００７】
飲料は上蓋と容器本体の間に隙間を経て注がれるため、注がれた飲料に茶こし部内の茶葉が混入したり、隙間に茶葉が詰まるという問題が生ずる。この問題は容器本体内の飲料が少なくなり、注ぐ際に容器本体を傾ける角度が大きくなるにつれて顕著となる。
【０００８】
また、特許文献２の飲料抽出用容器においては、注ぐ際に容器本体を傾ける角度が大きくなるとパックが通液口に当接して詰まってしまい、飲料が十分に出てこないという問題がある。
【０００９】
本発明の目的は、上述の課題を解消し、注いだ飲料に茶葉等が混入したり、茶葉又は茶葉が入ったパック等による目詰まりを生ずることのない飲料抽出用容器を提供することにある。
【課題を解決するための手段】
【００１０】
上記目的を達成するための本発明に係る飲料抽出用容器は、容器本体と、該容器本体内の所定位置に位置し上方を開放した茶こし部と、前記容器本体に螺合し前記容器本体と前記茶こし部を上方から覆う蓋体とから成り、前記蓋体の前記容器本体への螺合は前記容器本体に対し所定の回転角度で停止し、該停止状態で前記蓋体の天井部により前記茶こし部の上縁を閉止すると共に、前記蓋体の天井部に設けた通液孔は前記茶こし部から離れた位置で前記容器本体内と連通することを特徴とする。
【発明の効果】
【００１１】
本発明に係る飲料抽出用容器によれば、注がれる茶飲料に茶葉等が混入したり、茶葉等により隙間が詰まる虞れがなく、グラスに注ぐ際に茶こし部を取り除く必要もない。
【図面の簡単な説明】
【００１２】
【図１】飲料抽出用容器の斜視図である。
【図２】容器本体と茶こし部の斜視図である。
【図３】飲料抽出用容器の縦断面図である。
【図４】茶こし部と通液孔との位置関係の説明図である。
【図５】開閉レバーをロック部材によりロックした状態の側面図である。
【図６】注水のために開閉レバーを開き飲料抽出用容器を傾けた状態の断面図である。
【発明を実施するための形態】
【００１３】
本発明を図示の実施例に基づいて詳細に説明する。
図１は本実施例における飲料抽出用容器の斜視図である。飲料抽出用容器１は、例えばガラス又は合成樹脂材から成る透明な容器本体２と、容器本体２内にあって茶葉を収容し、容器本体２に対して着脱自在な茶こし部３と、容器本体２の上部に取り付ける合成樹脂材から成る蓋体４とから成っている。なお、茶こし部３は容器本体２に固定した状態であってもよいが、洗浄等の観点から着脱自在であることが好ましい。
【００１４】
図２に示すように、容器本体２の上端２ａには、水平断面が略半円形状の茶こし部３が取付可能とされている。この上端２ａには円周に沿って切込み２ｂが形成され、茶こし部３の上縁３ａがこの切込み２ｂに所定位置で係止するようにされ、容器本体２の上端２ａに対し回動しないようにされている。
【００１５】
また、容器本体２の上部の外周部には、蓋体４を螺合して取り付けるための外ねじ溝２ｃが刻設されている。更に、容器本体２の側面の両側には平坦面２ｄが設けられ、容器本体２を横にしても転がらないようにされている。なお、容器本体２は必ずしも透明でなくともよいが、実施例のように透明とすることにより、容器本体２内の水量を容易に確認でき、また茶葉等の冷水又は熱湯への抽出具合を視認することがきる。
【００１６】
茶こし部３は図２に示すように水平断面が略半円形状とされ、合成樹脂製の上縁３ａ及び底部を含む枠部３ｂにより囲まれ、側部の枠部３ｂ間には合成樹脂製のメッシュ３ｃが張り付けられており、上部は開放されている。
【００１７】
蓋体４には、図１、図３に示すように、片端に先細で上方を開放した注水部４ａが設けられ、その反対端には上下方向の把手を有する握持部４ｂが一体成型されている。また、蓋体４の周壁４ｃの内側には、容器本体２の外ねじ溝２ｃと螺合するための内ねじ溝４ｄが形成されている。なお、蓋体４の容器本体２に対する螺合は、外ねじ溝２ｃの一部に設けたストッパにより、後述する所定角度において停止するようにされている。
【００１８】
また、周壁４ｃの内側の天井部４ｅには茶こし部３の上縁３ａの形状に対応する略半円形の下向きのリブ４ｆが形成され、蓋体４を容器本体２に螺合して所定角度で停止した場合に、リブ４ｆは茶こし部３の上縁３ａに一様に接触するようにされている。リブ４ｆの表面又は茶こし部３の上縁３ａの表面にゴム状部材を配置すれば閉止状態は更に確実となる。
【００１９】
また、容器本体２又は蓋体４には図示しない環状パッキンが取り付けられており、蓋体４を閉めている限り、内部の飲料は外ねじ溝２ｃと内ねじ溝４ｄの螺合部から、この環状パッキンにより漏れ出ないようにされている。
【００２０】
更に、蓋体４の天井部４ｅには茶こし部３が位置する側と反対側に、飲料を排出するための通液孔４ｇが注水部４ａの近傍に設けられており、容器本体２に蓋体４を密閉した場合に蓋体４が所定の回転角度で停止すると、図４に示すように茶こし部３と通液孔４ｇの位置関係が定められている。つまり、この位置で通液孔４ｇは茶こし部３とは異なる注水部４ａ側の位置となり、容器本体２内と連通する。
【００２１】
蓋体４の上部には、運搬時の引下部を兼ねた橋絡部４ｈが設けられ、橋絡部４ｈ上には条片状の開閉レバー４ｉが配置され、開閉レバー４ｉの先端は覆い部４ｊ、後端は押下部４ｋとされている。開閉レバー４ｉの橋絡部４ｈ上の支点４ｌを中心に傾動可能とされている。開閉レバー４ｉの先端の覆い部４ｊは注水部４ａを上方から覆うようにされ、その後方寄りには下向きに円筒形の突起部４ｍが突出され、その先端には例えばシリコンゴムから成る弾性部材による密閉用キャップ４ｎが取り付けられ、この密閉用キャップ４ｎにより通液孔４ｇを上方から密閉するようにされている。
【００２２】
また、開閉レバー４ｉの押下部４ｋの下部には例えばシリコンゴムから成る弾性体４ｏが取り付けられ、押下部４ｋは常に付勢手段である弾性体４ｏにより押し上げられている。また、握持部４ｂの上部には爪部４ｐを有する可動のロック部材４ｑが、ヒンジ４ｒを介して回動自在に取り付けられている。
【００２３】
この飲料抽出用容器１の使用に際しては、茶こし部３に上方の開放部から茶葉Ｔを入れ、容器本体２内に茶葉Ｔが十分に浸るだけの所定量の例えば冷水を注入した後に、容器本体２に蓋体４を螺合する。この場合に、蓋体４はストッパにより所定の角度で螺合が停止され、上述したように蓋体４の通液孔４ｇは茶こし部３に対し、図４に示すような位置関係となる。なお、茶葉Ｔの代りに、麦粒、コーヒー粉末、又はこれらをパック状にしたものを用いることもできる。
【００２４】
この状態で、開閉レバー４ｉの押下部４ｋは弾性体４ｏにより上方に付勢されているので、開閉レバー４ｉの突起部４ｍに取り付けられた密閉用キャップ４ｎは通液孔４ｇを閉止しており、容器本体２内の飲料が漏れ出ることはない。
【００２５】
このとき、図５に示すようにロック部材４ｑを立ち上げて、爪部４ｐを開閉レバー４ｉの押下部４ｋの下部に係止することにより、不時に開閉レバー４ｉは動くことがなくなり、通液孔４ｇには密閉用キャップ４ｎより更に確実に密閉される。
【００２６】
このため、ロック部材４ｑを作用させた状態で、例えば冷蔵庫内で仮に横倒しに保管しても容器本体２内の飲料が漏れ出ることなく、茶こし部３はリブ４ｆが接しているので、内部の茶葉Ｔが外側に移動することもない。この状態において保管することにより、茶葉Ｔが冷水に浸り、茶こし部３のメッシュ３ｃを介して茶葉Ｔの成分が冷水中に抽出され、茶飲料を製造することができる。
【００２７】
製造した茶飲料をグラス等に注ぐ際には、握持部４ｂを手で握って、ロック部材４ｑが作用している場合には親指でロック部材４ｑを動かし、開閉レバー４ｉに対するロックを解除する。更に、開閉レバー４ｉの押下部４ｋを親指で下方に押し下げることより、支点４ｌを中心に突起部４ｍ、密閉用キャップ４ｎが持ち上がり、通液孔４ｇが開放され、同時に、注水部４ａを上方から覆っている開閉レバー４ｉの覆い部４ｊが注水のために開放される。
【００２８】
そして、開閉レバー４ｉの押下部４ｋを親指で押し下げたまま、図６に示すように注水部４ａを下方に向けることにより、容器本体２内の茶飲料Ｄを通液孔４ｇ、注水部４ａを介してグラス等に注ぐことができる。このように本願発明の飲料抽出用容器１は、片手で飲料抽出用容器１を握持しながら、その親指でロック部材４ｑのロック及びロックの解除の操作を行うことができる。
【００２９】
このとき、茶こし部３の上縁３ａには蓋体４のリブ４ｆが接触しているため、茶葉Ｔは茶こし部３外に出ることはなく、従来の飲料抽出用容器のように、注がれる茶飲料Ｄに茶葉Ｔが混入したり、茶葉Ｔにより隙間が詰まる虞れがないため、グラスに注ぐ際に茶こし部３を、取り除く必要もない。
【００３０】
また、注水が終り、開閉レバー４ｉの押下部４ｋから親指を離せば、開閉レバー４ｉは弾性体４ｏの付勢力により、突起部４ｍが降下し、通液孔４ｇは密閉用キャップ４ｎにより密閉される。
【符号の説明】
【００３１】
１  飲料抽出用容器
２  容器本体
２ｃ、４ｄ  ねじ溝
３  茶こし部
４  蓋体
４ａ  注水部
４ｂ  握持部
４ｇ  通液孔
４ｉ  開閉レバー
４ｎ  密閉用キャップ
４ｏ  弾性体
４ｑ  ロック部材
Ｔ  茶葉
Ｄ  茶飲料
【図１】
2014094044.tif 000003
【図２】
2014094044.tif 000004
【図３】
2014094044.tif 000005
【図４】
2014094044.tif 000006
【図５】
2014094044.tif 000007
【図６】
2014094044.tif 000008